(57)【要約】【課題】どのような機種の携帯電話にも使用できる汎用性があり、携帯電話とは独立に設計し製造することができる携帯電話着信通知装置を実現する。【解決手段】携帯電話本体に装置を一体に固定する固定具１８と、携帯電話の着信時振動を検出する振動検出回路２０と、振動検出回路２０の出力する検出信号により起動する着信通知信号送信回路２２とを備えた送信機１４と、着信通知信号を識別して受信する受信回路２４と、受信回路２４の受信した着信通知信号により起動する報知機２６を有する受信機１６とを備えた携帯電話着信通知装置。【選択図】図１
2011030113.tif 000002
【特許請求の範囲】
【請求項１】
携帯電話本体に装置を一体に固定する固定具と、携帯電話の着信時振動を検出する振動検出回路と、振動検出回路の出力する検出信号により起動する着信通知信号送信回路を備えた送信機と、
前記着信通知信号を識別して受信する受信回路と、受信回路の受信した着信通知信号により起動する報知機を有する受信機とを備えたことを特徴とする携帯電話着信通知装置。
【請求項２】
請求項１に記載の携帯電話着信通知装置において、
前記受信機は、外光により発電して、受信機を駆動するための電池を充電する充電回路を備えることを特徴とする携帯電話着信通知装置。
【請求項３】
請求項１または２に記載の携帯電話着信通知装置において、
前記受信機は、受信機の揺動を検出して発電し、受信機を駆動するための電池を充電する充電回路を備えることを特徴とする携帯電話着信通知装置。
【請求項４】
請求項１乃至３のいずれかに記載の携帯電話着信通知装置において、
固定具は携帯電話本体を収容するケースであることを特徴とする携帯電話着信通知装置。
【請求項５】
請求項１乃至４のいずれかに記載の携帯電話着信通知装置において、
振動検出回路は、携帯電話の着信時振動に共振する共振子と、この共振子に一体化した誘導コイルと、この誘導コイルを貫通する磁界を形成する磁石と、前記誘導コイルの誘導電流を受け入れて蓄積し、着信通知信号送信回路を起動する回路とを備えることを特徴とする携帯電話着信通知装置。
【請求項６】
請求項１乃至５のいずれかに記載の携帯電話着信通知装置において、
報知機は振動子を駆動する駆動回路を備えることを特徴とする携帯電話着信通知装置。
【請求項７】
請求項１乃至５のいずれかに記載の携帯電話着信通知装置において、
報知機は音響振動子を駆動する駆動回路を備えることを特徴とする携帯電話着信通知装置。
【請求項８】
請求項１乃至５のいずれかに記載の携帯電話着信通知装置において、
報知機は光学素子を駆動する駆動回路を備えることを特徴とする携帯電話着信通知装置。
【発明の詳細な説明】
【技術分野】
【０００１】
本発明は、携帯電話の着信を携帯電話から離れた場所で知ることができる携帯電話着信通知装置に関する。
【背景技術】
【０００２】
携帯電話は私的な用途でも業務上の用途でもきわめて多くの人に利用されて広く普及している。この携帯電話には、着信があったときの音を好みのものに選択したりできる機能のほかに、音を出さずにバイブレータを使用して着信通知をする機能もある。また、こうした携帯電話の着信を、携帯電話を身につけていなくても知ることができる装置も開発されている（特許文献１参照）（特許文献２参照）。
【先行技術文献】
【特許文献】
【０００３】
【特許文献１】特開平９−１３９７６１号公報
【特許文献２】特開平１１−１６３９８０号公報
【発明の概要】
【発明が解決しようとする課題】
【０００４】
既知の従来の技術には、次のような解決すべき課題があった。
上記のように、携帯電話の着信を、携帯電話を身につけていなくても知ることができる装置は、着信時にすぐに応答する必要が無い場合や応答できない場合に適している。例えば、会議中に身につけている腕時計やブレスレットにより着信の有無を知るだけで、十分に役立つ場合がある。しかしながら、この場合には、腕時計やブレスレットに受信機を組み込み、携帯電話に送信機を組み込まなければならない。携帯電話に送信機を組み込むには、携帯電話の設計から変更しなければならないし、より一層の小型化を目指す携帯電話の開発を妨げる。また、機種毎に専用の受信機が必要になり、汎用性が無いからコスト高になるという問題がある。さらに、既存の携帯電話にその機能を追加するのは困難である。
上記の課題を解決するために、本発明は次のような携帯電話着信通知装置を提供することを目的とする。
どのような機種の携帯電話にも使用できる汎用性があり、携帯電話とは独立に設計し製造することができる。
【課題を解決するための手段】
【０００５】
以下の構成はそれぞれ上記の課題を解決するための手段である。
〈構成１〉
携帯電話本体に装置を一体に固定する固定具と、携帯電話の着信時振動を検出する振動検出回路と、振動検出回路の出力する検出信号により起動する着信通知信号送信回路を備えた送信機と、前記着信通知信号を識別して受信する受信回路と、受信回路の受信した着信通知信号により起動する報知機を有する受信機とを備えたことを特徴とする携帯電話着信通知装置。
【０００６】
〈構成２〉
構成１に記載の携帯電話着信通知装置において、前記受信機は、外光により発電して、受信機を駆動するための電池を充電する充電回路を備えることを特徴とする携帯電話着信通知装置。
【０００７】
〈構成３〉
構成１または２に記載の携帯電話着信通知装置において、前記受信機は、受信機の揺動を検出して発電し、受信機を駆動するための電池を充電する充電回路を備えることを特徴とする携帯電話着信通知装置。
【０００８】
〈構成４〉
構成１乃至３のいずれかに記載の携帯電話着信通知装置において、固定具は携帯電話本体を収容するケースであることを特徴とする携帯電話着信通知装置。
【０００９】
〈構成５〉
構成１乃至４のいずれかに記載の携帯電話着信通知装置において、振動検出回路は、携帯電話の着信時振動に共振する共振子と、この共振子に一体化した誘導コイルと、この誘導コイルを貫通する磁界を形成する磁石と、前記誘導コイルの誘導電流を受け入れて蓄積し、着信通知信号送信回路を起動する回路とを備えることを特徴とする携帯電話着信通知装置。
【００１０】
〈構成６〉
構成１乃至５のいずれかに記載の携帯電話着信通知装置において、報知機は振動子を駆動する駆動回路を備えることを特徴とする携帯電話着信通知装置。
【００１１】
〈構成７〉
構成１乃至５のいずれかに記載の携帯電話着信通知装置において、報知機は音響振動子を駆動する駆動回路を備えることを特徴とする携帯電話着信通知装置。
【００１２】
〈構成８〉
構成１乃至５のいずれかに記載の携帯電話着信通知装置において、報知機は光学素子を駆動する駆動回路を備えることを特徴とする携帯電話着信通知装置。
【発明の効果】
【００１３】
〈構成１の効果〉
携帯電話に組み込むわけではないから、携帯電話の改造は必要がない。携帯電話の機種に依存することなく、電気配線も全く不要で、携帯電話から離れた場所で着信を知ることができる。
〈構成２の効果〉
受信機は人が身につけて持ち歩くものだから自然光の照射を受け易い。従って、光充電式とした。
〈構成３の効果〉
受信機は人が持ち歩くものだから様々な振動を受ける、この振動により発電すれば、光が入らない場合でも確実に駆動する。
〈構成４の効果〉
携帯電話を収容するケースに送信機を一体化しておくと、どんな携帯電話の着信も通知できる。
〈構成５の効果〉
携帯電話の振動エネルギを誘導コイルを用いて検出し、送信機を駆動するので、携帯電話の着信信号を直接取り出す回路が不要である。
〈構成６の効果〉
受信機の報知器はバイブレータが好ましい。
〈構成７の効果〉
受信機の報知器はレシーバ等であってもよい。
〈構成８の効果〉
受信機の報知器はＬＥＤ等の発光素子であってもよい。
【図面の簡単な説明】
【００１４】
【図１】実施例１の携帯電話着信通知装置１０を示す斜視図である。
【図２】実施例１の装置の送信機を示す結線図である。
【図３】実施例１の装置の受信機を示す結線図である。
【図４】振動検出回路２０の変形例を示す斜視図である。
【図５】着信通知信号の説明図である。
【発明を実施するための形態】
【００１５】
以下、本発明の実施の形態を実施例毎に詳細に説明する。
【実施例１】
【００１６】
図１は実施例１の携帯電話着信通知装置１０を示す斜視図である。
図に示すように、本発明の装置は、どんな機種の携帯電話１２にでも簡単に装着して使用できる。送信機１４は、例えば、バンドのような固定具１８を使用して、携帯電話１２に固定される。携帯電話１２を収納するための図示しないケースに、送信機１４を一体化しておいても構わない。携帯電話１２と送信機１４の間の電線等の接続は不要である。従って、携帯電話１２を普通にそのまま使用できる。
【００１７】
図のような携帯電話１２を例えば、図示しないスーツケースの中に納めておき、利用者は例えば、時計５０を腕にはめて、時計５０に受信機１６を固定する。携帯電話１２は、着信音の鳴らないサイレントモードにしておき、着信時に振動するようにセッティングをしておく。いわゆるバイブレーション機能は、既存のどの携帯電話にも付いている。送信機１４はこの振動を検出して、着信通知信号１９を受信機１６に送信する。受信機１６は、着信通知信号１９を受信すると、例えば振動子により振動して利用者に着信を伝える。利用者は着信のあったことを知ると、その後適当な時期にスーツケースから携帯電話１２を取り出して、着信履歴を見る。そして、必要に応じて、着信相手先に電話をする。
【００１８】
図２は、実施例１の装置の送信機を示す結線図である。
図に示すように、送信機１４は、携帯電話の着信時振動を検出する振動検出回路２０と、振動検出回路２０の出力する検出信号により起動する着信通知信号送信回路２２と送信アンテナ３８を備える。振動検出回路２０は、例えば、携帯電話の着信時振動に共振する共振子２８と、この共振子２８に一体化した誘導コイル３０と、この誘導コイル３０を貫通する磁界を形成する磁石とを備える。誘導コイル３０の出力端子には、誘導電流を直流に変換する整流回路３４と、誘導電流を受け入れて蓄積するコンデンサ３６とを備える。
【００１９】
共振子２８は、送信機１４のケース内部に機械的に振動することができるように支持された基板である。この実施例では、送信機１４のケース内壁に磁石３２を固定しておく。共振子２８が振動し、誘導コイル３０がこれとともに振動すると、誘導コイル３０を貫通する磁束が変化して、誘導起電力が生じる。誘導コイル３０に流れる誘導電流は交流だから、整流してコンデンサ３６を充電する。共振子２８を携帯電話のバイブレータの振動周波数で最大に振幅するように設定すると、振動検出感度が最大になる。
【００２０】
コンデンサ３６の端子電圧は充電により上昇する。例えば、着信通知信号送信回路２２は、コンデンサ３６の端子電圧が降伏電圧を越えたときにコンデンサ３６を一気に放電させてトリガーにし、着信通知信号１９を送信する回路である。携帯電話では、メール着信時と通話着信時とでは、振動が継続する時間が異なる。上記のように、振動エネルギを電力に変換して、一定以上電力が蓄積されたときに着信通知信号送信回路２２が起動するよう構成すると、ある程度以上、振動が継続する場合にのみ、着信通知を送信することができる。
【００２１】
着信通知信号送信回路２２は、例えば、ワンショットマルチバイブレータにより構成して、着信検出から数秒間着信通知信号１９を送信するように構成するとよい。携帯電話の振動エネルギが電力に変換されてコンデンサ３６に蓄積されるから、このエネルギで着信通知信号送信回路２２を駆動できれば、その他の電源は不要である。しかし、それでは送信電力が不足するなら、コンデンサ３６と並列に電池を接続してもよい。
【００２２】
図３は、実施例１の装置の受信機を示す結線図である。
受信機１６は、受信アンテナ４０と受信回路２４とスイッチング素子４４と、充電回路４２と逆流阻止ダイオード４６と報知機２６と電池４８とを備えている。着信通知信号１９は、混信防止のために、後で説明するように可能な限り固有の信号パタンを持つことが好ましい。受信回路２４は、この着信通知信号１９を他の送信機のものと区別して識別し、受信する機能を持つ。
【００２３】
着信通知信号１９を受信したとき、受信回路２４の出力信号はスイッチング素子４４のスイッチをオフ状態からオン状態に切り替える機能を持つ。電池４８は報知機２６を駆動するためのものである。スイッチング素子４４がオン状態になると、電池４８から電力の供給を受けて、報知機２６が起動し、例えば、図示しない振動子を駆動する。振動子は、既知の携帯電話用のものを使用するとよい。受信機１６の全重量が軽いので、圧電素子のようなものを使用しても、人が感じる機械的な振動を生じさせることができる。また、報知機２６は、微少な音を発する音響振動子であってもよい。さらに、ＬＥＤ等の発光素子であってもよい。
【００２４】
なお、充電回路４２は、例えば、外光により発電して、受信機１６を駆動するための電池４８を充電する機能を持つ。受信機１６は人が身につけて持ち歩くものだから自然光の照射を受け易い。これを利用して充電すれば、電池交換が不要になる。電池４８は、コンデンサまたは繰り返し充電可能な二次電池にするとよい。また、充電回路４２は、受信機１６の揺動を検出して発電し電池４８を充電するものでもよい。図２で説明した振動検出回路も揺動により発電する機能を持つが、既知の様々な発電機が充電回路４２として利用できる。受信機１６をポケットにいれて持ち歩くような場合に適する。
【実施例２】
【００２５】
図４は、振動検出回路２０の変形例を示す斜視図である。
図の振動検出回路２０は、図示しない送信機１４のケースに固定した誘導コイル３０と、このケース内に支持した磁石３２を備える。磁石３２は、ケース内に、例えば、スプリング５２を介して支持される。共振子２８はスプリング５２と調整ねじ５４とにより構成される。調整ねじ５４はケースの外部からドライバ等を用いて回すことができる。調整ねじ５４を回すと、スプリング５２の圧縮長を調整できるので、共振振動周波数を微調整できる。自分の携帯電話の振動に対して最適な感度で振動するように調整できる。
【実施例３】
【００２６】
図５は着信通知信号の説明図である。
例えば、着信通知信号送信回路２２は、装置毎に予めランダムに設定された固有の着信通知信号１９を送信するようにしておく。着信通知信号送信回路２２と受信回路２４とは対で販売される。着信通知信号送信回路２２の送信した着信通知信号１９は、予め対になった受信回路２４以外では受信できない。ＳＡＷフィルタのような素子を使用すれば、こうした送受信機を製造できる。また、ディジタルフィルタを用いても、同様の選択通信ができる。
【００２７】
以上のように、本発明によれば、送信機を携帯電話に組み込むわけではないから、携帯電話の改造は必要がなく、携帯電話の機種に依存することがない。送信機に対して電気配線も全く不要である。こうして、超小型の受信機を、腕時計や、ブレスレット、帽子、眼鏡、バッチ等の様々な身装品に取り付けて使用することができる。
【符号の説明】
【００２８】
１０  携帯電話着信通知装置
１２  携帯電話
１４  送信機
１６  受信機
１８  固定具
１９  着信通知信号
２０  振動検出回路
２２  着信通知信号送信回路
２４  受信回路
２６  報知機
２８  共振子
３０  誘導コイル
３２  磁石
３４  整流回路
３６  コンデンサ
３８  送信アンテナ
４０  受信アンテナ
４２  充電回路
４４  スイッチング素子
４６  逆流阻止ダイオード
４８  電池
５０  時計
【図１】
2011030113.tif 000003
【図２】
2011030113.tif 000004
【図３】
2011030113.tif 000005
【図４】
2011030113.tif 000006
【図５】
2011030113.tif 000007